(57)【要約】      （修正有）【課題】火を扱う場所の壁や柱に容易に設置でき、通常はコンパクトに収納されており、火災が発生したときに、その炎の熱により自動的に作動して消火剤を散布して消火することができる消火器を提供すること。【解決手段】炎の熱によって封緘部が開放される扉を備えた外箱１０と、外箱内に前傾状態で軸支された内側ケース３０と、内側ケース内に吊り下げ状態で収納され、熱可溶性材料で作成され内部に消火剤が充填された消火剤ケース４０と、で構成され消火剤ケースの底部を、他の部分より薄くした.【選択図】図２
2005006833.tif 000002
【特許請求の範囲】
【請求項１】
炎の熱によって封緘部が開放される扉を備えた外箱と、外箱内に前傾状態で軸支された内側ケースと、内側ケース内に吊り下げ状態で収納され、熱可溶性材料で作成され内部に消火剤が充填された消火剤ケースと、で構成された消火器。
【請求項２】
消火剤ケースの底部を、他の部分より薄くしたことを特徴とする請求項１記載の消火器。
【発明の詳細な説明】
【０００１】
【発明の属する技術分野】
本発明は、特に常時火を使う場所の壁や柱に設置する消火器に関し、詳しくは、火災を感知すると自動的に火元の上方に出現し、かつ消火剤を自動的に散布する消火器に関する。
【０００２】
【従来の技術】
消火器は一般には歩行の邪魔にならないように建築物の隅の床面に設置し、火災が発生したときに設置場所から火災場所まで運んで消火しなければならず、火災発見から消火までに時間がかかり消火が間に合わない場合がある。
【０００３】
上記問題を解決するために、火を扱う場所の天井に取り付けたり吊り下げる自動消火器が提供されたが、そのような消火器は高所に設置されているため放出された消火剤は分散されてしまい火元へ入る量が少なく、十分に機能を果たすことができないというケースもあった。
【０００４】
【特許文献１】
特開２００２−２００１８７号公報
【特許文献２】
特開２００１−１６１８４８号公報
【０００５】
【発明が解決しようとする課題】
そこで本発明は、火を扱う場所の壁や柱に容易に設置でき、通常はコンパクトに収納されており、火災が発生したときに、その炎の熱により自動的に作動して消火剤を散布して消火することができる消火器を提供することを課題とする。
【０００６】
【課題を解決するための手段】
上記課題を解決するために、本発明の消火器は、炎の熱によって封緘部が開放される扉を備えた外箱と、外箱内に前傾状態で軸支された内側ケースと、内側ケース内に吊り下げ状態で収納され、熱可溶性材料で作成され内部に消火剤が充填された消火剤ケースと、で構成したことを特徴とし、さらには、消火剤ケースの底部を、他の部分より薄くしたことを特徴とする。
【０００７】
【作用】
消化器が異常炎を感知して扉を封緘している溶融ハンダが溶融し封緘状態が解かれると、内側ケースの重心が枢着部より前方にあるので、内側ケースは扉を押し広げながら下部を中心にして前方に回動し水平状態で停止し、同時に、消火剤ケースも上部を中心に回動し、消火剤容器の散布口を下方にして吊下がり状態になり、消火剤ケースの下壁が火元に対向して炎の熱を直に受けることになる。その結果、下壁は炎の熱により溶融し消火剤ケースが開放され、消火剤が火元に向けて散布される。
【０００８】
【実施例】
図面にもとづいて本発明の１実施例を説明するが、本発明はこの実施例によって限定されるものではない。
以下各部の構成を説明するが、図１は、上記構成部材からなる本発明の消火器を組み立て、扉を開いた状態を示し、図２は、本発明の消火器が作動した時の上記構成部材の位置関係を示している。
【０００９】
本発明の消火器は、図１、図２に示すように、消火器を壁や柱に設置するための外箱１０と、熱に感応して外箱の扉を開放可能にする扉封緘部２０と、外箱内に収容された内側ケース３０と、内側ケース内に収容された消火剤ケース４０とを備え、外箱１０と内側ケース３０は軸３９により回動可能に、内側ケース３０と消火剤ケース４０は軸４４により回動可能に接続されている。
【００１０】
《外箱》
外箱１０は図３に示すように、後壁１１と左右の側壁１２、１３とで、内側ケース３０を収容できるように樋型をしており、後壁１１の下部には、内側ケース３０の接続片３７を受け入れるための間隔を置いて、それぞれ外箱１０と内側ケース３０を接続する軸３９と同径の軸孔１５を備えた一対の接続片１４、１４が設けられている。
また、外箱１０の一方の側壁１３にはヒンジ１６を介して扉１７が開閉可能に取り付けられている。
【００１１】
《扉封緘部》
扉封緘部２０は図１、図３に示すように、扉１７の一側に形成した舌片１８に形成した孔１９と、外箱１０の側壁１２の外側に設けた係止部２１の先端面の、孔１９より小径のビス２２と、閉扉時にビス２２と孔１９の内周面との間に充填される溶融ハンダ２３とで構成されている。
なお、図示の実施例では封緘部を、ビス２２と孔１９と両者の間に充填した溶融ハンダ２３とで構成したが、炎の熱に感応して封緘状態を解くものであれば、他の手段に変更することができる。
【００１２】
《内側ケース》
内側ケース３０は図４に示すように、後壁３１と左右の側壁３２、３２と、上壁３４と、底壁３６とで形成された前方が開放した箱型をしており、上壁３４には後方に延出した突起３５が形成され、内側ケース３０を外箱１０内に収納したとき突起３５の先端は外箱１０の後壁１１の内面に当接し、内側ケース３０は前傾状態で収納される。したがって、内側ケース３０の重心は、内側ケース３０の枢着部より前方に位置しているので、扉１７による拘束が解かれると内側ケース３０は消火剤ケース４０と共に前方に回動可能である。
【００１３】
また、内側ケース３０には、各側壁３２には軸孔３３が設けられており、底壁３６の下面には軸孔３８を有する接続片３７が一体に形成されている。
軸孔３８の軸心から接続片３７の先端面までの距離は、接続片１４の軸孔１５の軸心から後壁１１の前面までの距離と等しくし、内側ケース３０が水平になったとき回動を停止させるストッパーとしての機能を持たせる。
なお、軸孔３３は、組み立て後に軸４４が抜けるのを防ぐために、軸４４と同径に形成し、軸孔３８は、内側ケース３０が軸３９を中心に回動できるように、軸３９よりやや大径に形成する。
【００１４】
本実施例では、外箱１０と内側ケース３０とを回動可能に接続する軸３９の位置を内側ケース３０の中心より後方にずらしているので、内側ケース３０の上壁３４に形成した突起３５と協働して、内側ケース３０の前方への回動を確実にしている。
【００１５】
《消火剤ケース》
消火剤収容部４１は図５に示すように、易溶融性のプラスチックで作成された密封箱型の容器であり、上面には軸孔４３を有する接続片４２、および、消火剤を充填するための注入口４６が設けられ、底壁４５は容易に溶解できるように他の部分より肉薄に形成されている。
なお、軸孔４３は、消火剤ケース４０が軸４４の中心に自由に回動できるように、内側ケース３０の側壁３２、３２の軸孔３３に取り付ける軸４４の径よりやや大径に形成する。
また、消火剤ケース４０内に充填する消火剤は、既存の消火剤を、消火器の使用場所に適したものを適宜使用する。
【００１６】
《組み立て》
上記構成の外箱１０と内側ケース３０とは、接続片１４に設けた軸孔１５と接続片３７に設けた軸孔３８に挿通される軸３９によって回動可能な状態に連結され、内側ケース３０と消火剤ケース４０とは、側壁３２に設けた軸孔３３と接続片４２に設けた軸孔４３に挿通される軸４４によって回動可能な状態に連結される。
上記のように構成された、外箱１０、内ケース３０、消火剤ケース４０は、軸３９および軸４４を中心に図１に示す状態に折り畳まれ外箱１０内に収納した後、扉１７を閉じ、封緘部２０によって封緘する。
【００１７】
《作動》
上記構成の消火器は、待機時には、内側ケース３０の突起３５が外箱１０の後壁１１の内面に当接し前方に傾斜しているので、前方に回動しよとするが扉１７を封緘することにより前方に傾斜した状態に拘束されている。
【００１８】
火災が発生し扉封緘部を構成する溶融ハンダが融し、扉の拘束が解かれるので、内側ケースは扉を開放しながら前方に回動（図２中矢印イ）し、接続片３７の下端面が外箱１０の後壁１１の内面に当接し回動を停止させる。さらに、消火剤ケースが下方に回動（図２中矢印ロ）し消火剤ケースの底壁を火元上方に位置し、底壁は炎により溶融し、開放して消火剤を散布する。
【００１９】
なお、上記実施例では、封緘部が火災の熱に応動して作動する例を説明したが、封緘部を手動で開放して、通常の消火器として使用できることはいうまでもない。
【００２０】
【発明の効果】
壁や柱に平行に取り付けられた外箱内に収納されているので邪魔にならず、消火作動時には自動的に内側ケースが前方に、消火剤ケースが下方に回動して火元に接近させて消火剤を散布することができる。
【００２１】
火元に接近した状態で消火剤を散布できるので、大量の消火剤を火元に散布することができ、したがって、高所に取り付けられていた従来の自動消火器のように、消火剤が分散され火元へ入る量が少ないための再燃に恐れや、消火剤が火元に入らず消火できないということがない。
【図面の簡単な説明】
【図１】組み立て時の斜視図である。
【図２】作動時の斜視図である。
【図３】外箱の斜視図である。
【図４】内側ケースの斜視図である。
【図５】消火剤ケースの斜視図である。
【符号の説明】
１０  外箱
１１  後壁
１２、１３  側壁
１４  接続片
１５  軸孔
１６  ヒンジ
１７  扉
１８  舌片
１９  孔
２０  扉封緘部
２１  係止部
２２  ビス
２３  溶融ハンダ
３０  内側ケース
３１  後壁
３２  側壁
３３  軸孔
３４  上壁
３５  上壁の突起
３６  底壁
３７  接続片
３８  軸孔
３９  軸
４０  消火剤ケース
４１  消火剤収納部
４２  接続片
４３  軸孔
４４  軸
４５  底壁
４６  消火剤注入口
【図１】
2005006833.tif 000003
【図２】
2005006833.tif 000004
【図３】
2005006833.tif 000005
【図４】
2005006833.tif 000006
【図５】
2005006833.tif 000007